(57)【要約】【課題】表示意匠の制約を軽減することが可能な表示装置を提供する。【解決手段】複数の目盛部６５を有する第１の表示体６と、貫通部７１が形成された第２の表示体７とを有し、第２の表示体７の貫通部７１を通して第１の表示体６の目盛部６５を利用者に視認させる表示装置において、目盛部６５が複数の主目盛６５１と副目盛６５２とを有し、第２の表示体７は合成樹脂からなり、貫通部７１は第１の貫通部７１１と第２の貫通部７１２とを有し、特定の第１の貫通部７１１は断面台形の空間部として形成され、それに隣接する第２の貫通部７１２は断面逆台形の空間部として形成される。【選択図】  図３
2010230609.tif 000002
【特許請求の範囲】
【請求項１】
所定形態に配列された複数の目盛部を有する第１の表示体と、この第１の表示体の前面側に配置され前記目盛部を露出する貫通部が形成された第２の表示体とを有し、第２の表示体の貫通部を通して第１の表示体の目盛部を利用者に視認させる表示装置において、前記目盛部が複数の主目盛とこれら主目盛間に配置された副目盛とを有し、前記主目盛は前記副目盛よりも幅寸法が大きく形成され、前記第２の表示体は合成樹脂からなり、前記貫通部は前記主目盛に対応する第１の貫通部と前記副目盛に対応する第２の貫通部とを有し、少なくとも特定の前記第１の貫通部は前面側が先細りとなる断面台形の空間部として形成され、少なくとも特定の第１の貫通部に隣接する前記第２の貫通部は背面側が先細りとなる断面逆台形の空間部として形成されることを特徴とする表示装置。
【発明の詳細な説明】
【技術分野】
【０００１】
本発明は、例えば自動車、自動二輪車、建設機械、小型船舶に搭載される表示装置に関するものである。
【背景技術】
【０００２】
この種の表示装置として下記特許文献１に記載されたものが知られている。この表示装置は、例えば自動車の速度計として適用されるものであり、車速に応じて回転する指針の指示対象となる複数の目盛部を間隔を空けて円弧状に配列してなる第１の表示体（文字盤）と、この第１の表示体の前方側を覆うように配置され第１の表示体の各目盛部に対応する貫通部が形成された第２の表示体（意匠リング）とを有し、第１の表示体の目盛部を第２の表示体の貫通部を通して利用者に視認させる構成である。
【０００３】
第２の表示体は、合成樹脂からなり、第１の表示体の各目盛部に対応する貫通部は、合成樹脂の射出成形（型成形）によって形成される。このような貫通部を有した合成樹脂部品を射出成形する際には、金型の型抜きを考慮して貫通部に抜き勾配を設定する必要がある。
【０００４】
図９は、第２の表示体のごときを貫通部を有した合成樹脂部品の要部を円周方向に沿って切断した断面図であり、図中、０１は第１の表示体の主目盛（太目盛）に対応した開口径の大きい第１の貫通部、図中、０２は第１の表示体の副目盛（細目盛）に対応した開口径の小さい第２の貫通部、図中、０３は合成樹脂からなる第２の表示体の基材部分を示している。
【０００５】
図９において、第１，第２の貫通部０１，０２は、ともに前面側（利用者に面する側）の開口幅が狭く、背面側（使用者に面する側とは反対側）の幅が広くなるように抜き勾配が設定され、このように前面側の開口幅が狭くなるように抜き勾配を設定することによって、射出成形後の離型を可能としている。
【０００６】
ところで文字盤のごとき第１の表示体にあっては、その仕様に応じて、各主目盛（太目盛）同志の間を副目盛（細目盛）で細かく刻むことにより、主目盛（太目盛）と副目盛（細目盛）とが近づく場合がある。この場合、第２の表示体の第１の貫通部０１と第２の貫通部０２とを近づける必要が生じる。
【先行技術文献】
【特許文献】
【０００７】
【特許文献１】特開２００７−０３３０８２号公報
【発明の概要】
【発明が解決しようとする課題】
【０００８】
しかしながら、第１，第２の貫通部０１，０２は、前面側の開口幅が狭くなるように抜き勾配が設定されているため、両貫通部０１，０２を近づけるには限界がある。すなわち図９において、第１，第２の貫通部０１，０２で挟まれた箇所は、前面側の幅が広く、背面側が狭い台形となるため、この台形箇所の前面側の幅を小さくして第２の貫通部０２を第1の貫通部に近づけようとすると、台形箇所の背面側の幅やこの部分の幅方向の厚み寸法が維持できなくなるため、両貫通部０１，０２を近づけるには限界がある。このため第２の表示体の貫通部を通して第１の表示体の目盛部を視認させるにあたり、表示意匠が制約をうけるという問題がある。
【０００９】
本発明は前述の課題に着目し、表示意匠の制約を軽減することが可能な表示装置を提供することを目的とするものである。
【課題を解決するための手段】
【００１０】
本発明は、前述した課題を解決するため、所定形態に配列された複数の目盛部を有する第１の表示体と、この第１の表示体の前面側に配置され前記目盛部を露出する貫通部が形成された第２の表示体とを有し、第２の表示体の貫通部を通して第１の表示体の目盛部を利用者に視認させる表示装置において、前記目盛部が複数の主目盛とこれら主目盛間に配置された副目盛とを有し、前記主目盛は前記副目盛よりも幅寸法が大きく形成され、前記第２の表示体は合成樹脂からなり、前記貫通部は前記主目盛に対応する第１の貫通部と前記副目盛に対応する第２の貫通部とを有し、少なくとも特定の前記第１の貫通部は前面側が先細りとなる断面台形の空間部として形成され、少なくとも特定の第１の貫通部に隣接する前記第２の貫通部は背面側が先細りとなる断面逆台形の空間部として形成されることを特徴とする。
このように構成することにより、特定の第１の貫通部とこれに隣接する第２の貫通部が互いに先細り方向の異なる台形空間部として形成されるため、各貫通部間に挟まれた部分の背面側箇所の各貫通部の隣接方向における厚み寸法を確保した状態で各貫通部どうしを近づけることができるため、第２の表示体の貫通部を通して第１の表示体の目盛部を視認させるにあたり、表示意匠の制約を軽減することができる。
【発明の効果】
【００１１】
本発明によれば、表示意匠の制約を軽減することが可能な表示装置を提供することができる。
【図面の簡単な説明】
【００１２】
【図１】本発明の一実施形態による表示装置の正面図である。
【図２】図１のＡ−Ａ断面図（ハッチング省略）である。
【図３】図１のＢ−Ｂ断面図である。
【図４】本発明の一実施形態による第２の表示体の成形工程を示す図である。
【図５】本発明の一実施形態による第２の表示体の成形工程を示す図である。
【図６】本発明の一実施形態による第２の表示体の成形工程を示す図である。
【図７】本発明の一実施形態による第２の表示体の成形工程を示す図である。
【図８】比較例を示すもので、（ａ）は比較例による第２の表示体の要部断面図、（ｂ）は本発明の一実施形態による第２の表示体の要部断面図である。
【図９】本発明の従来例を示すもので、第２の表示体のごときを貫通部を有した合成樹脂部品の要部を円周方向に沿って切断した断面図。
【発明を実施するための形態】
【００１３】
以下、本発明の実施の形態について添付図面を用いて説明する。
図１、図２において、本発明の実施形態による表示装置は、例えば自動車用の速度計からなるもので、計器本体１と、回路基板２と、光源３と、ケース４と、指針５と、第１の表示体６と、第２の表示体７とを備えている。
【００１４】
計器本体１は、その本体部が回路基板５の背面側に位置すると共に指針軸１１が回路基板２を貫通して指針５側に延びるステッピングモータからなるものである。
【００１５】
回路基板２は、周知な硬質回路基板からなり、その前面側には、光源３が搭載されている。
【００１６】
光源３は、例えば発光ダイオードからなり、指針５と、第１の表示体６の後述する数字部及び目盛部を背後から照明する。
【００１７】
ケース４は、例えば乳白色の合成樹脂部材からなり、第１，第２の表示体６，７を背後から支持すると共に指針５と前記数字部及び前記目盛部を照明する照明室を形成する。
【００１８】
指針５は、計器本体１の指針軸１１に連結されて軸回り回転すると共に光源３からの光にて線状に光輝する例えば透光性合成樹脂からなる。
【００１９】
第１の表示体６は、例えば透光性合成樹脂からなる基板６１にスクリーン印刷等の手段を用いて表示層６２と遮光層６３（図３参照）を印刷してなる周知な印刷表示板からなり、表示層６２を遮光層６３から部分的に露出させることにより、車速を示す数字部６４と目盛部６５を形成する。
【００２０】
これら数字部６４と目盛部６５は、指針５の指示対象となるように、指針５の先端の回転軌道に沿って複数、間隔を空けて円弧状に配列されてなる。
【００２１】
目盛部６５は、所定の間隔（等間隔）を空けて複数形成された主目盛６５１と、これら主目盛６５１間に位置して複数配置された副目盛６５２とを有し、主目盛６５１は副目盛６５２よりも隣接方向の幅寸法が大きく形成されている。
【００２２】
第２の表示体７は、目盛部６５を包含する第１の表示体６の前面側外周領域上に配置されたリング状もしくは円弧状部材からなり、合成樹脂から形成されている。
【００２３】
この第２の表示体７は、目盛部６５を露出する貫通部７１が形成されている。貫通部７１は主目盛６５１に対応する第１の貫通部７１１と副目盛６５２に対応する第２の貫通部７１２とを有しており、これら貫通部７１１，７１２を通して目盛部６５を利用者に視認させる構成である。
【００２４】
第１の貫通部７１１は、図３に示すように、上辺の幅寸法が短く底辺の幅寸法が長い（前面側が先細りとなる）断面台形の空間部として形成されている。
【００２５】
第２の貫通部７１２は、上辺の幅寸法が長く底辺の幅寸法が短い（背面側が先細りとなる）断面逆台形の空間部として形成されている。
【００２６】
次に図４〜図７に基づいて第２の表示体の成形工程を説明する。
【００２７】
まず上型Ｄ１と下型Ｄ２とを組み合わせて第２の表示体７を形成するための空間部Ｓを形成（図４）、その空間部Ｓ内に例えば黒色の溶融した合成樹脂Ｊを射出し冷却固化する（図５）。
【００２８】
次に上型Ｄ１を離型させた後（図６）、下型Ｄ２のイジェクタピンホールＨに図示しないイジェクタピンを挿入して合成樹脂Ｊを下型Ｄ２から離型させて第２の表示体７を得るものである（図７）。
【００２９】
ここで図８に基づいて、第１の貫通部７１１を断面台形とし、第２の貫通部７１２を断面逆台形に設定した理由を説明する。
【００３０】
同図（ａ）に示す比較例と、同図（ｂ）に示す本実施形態による第２の表示体７において、第１の貫通部７１１の構造は、形状（断面台形）及び寸法が互いに共通であるが、第２の貫通部７１２、特に第１の貫通部７１１に隣接する第２の貫通部７１２の形状及び寸法が相違している。
【００３１】
すなわち、同図（ａ）において、第２の貫通部７１２は、隣接する第１の貫通部７１１と同じ上辺の幅寸法が短く底辺の幅寸法が長い断面台形であり、第１の貫通部７１１の前方側且つ第２の貫通部７１２側の端部Ｅ１から第２の貫通部７１２の前方側且つ第１の貫通部７１１側の端部Ｅ２までの距離はＬ１である。
同図（ｂ）において、第２の貫通部７１２は、隣接する第１の貫通部７１１とは異なり、上辺の幅寸法が長く底辺の幅寸法が短い断面逆台形であり、第１の貫通部７１１の前方側且つ第２の貫通部７１２側の端部Ｅ３から第２の貫通部７１２の前方側且つ第１の貫通部７１１側の端部Ｅ４までの距離はＬ２である。
【００３２】
互いに位置の等しい端部Ｅ１と端部Ｅ３を基準として、端部Ｅ２までの距離であるＬ１と、端部Ｅ４までの距離であるＬ２とを比較して明らかなように、第２の貫通部７１２の位置は同図（ａ）よりも同図（ｂ）の方が距離Ｌ３分、第１の貫通部７１１に近いことが分かる。
【００３３】
なお同図（ｂ）の第２の貫通部７１２の形状を同図（ａ）の第２の貫通部７１２の形状と同じく上辺の幅寸法が短く底辺の幅寸法が長い断面台形とした場合は、第１の貫通部７１１と第２の貫通部７１２との間に位置する箇所Ｐの背面側の幅やこの部分の幅方向の厚み寸法を維持できなくなることがある。箇所Ｐの幅や厚みを維持できないと、前記イジェクタピンを接触させることができなくなるといった成形上の不都合を招いたり、強度や見栄えに悪影響が及ぶことがある。
【００３４】
以上のように、所定形態に配列された複数の目盛部６５を有する第１の表示体６と、この第１の表示体６の前面側に配置され目盛部６５を露出する貫通部７１が形成された第２の表示体７とを有し、第２の表示体７の貫通部７１を通して第１の表示体６の目盛部６５を利用者に視認させる表示装置において、目盛部６５が複数の主目盛６５１とこれら主目盛６５１間に配置された副目盛６５２とを有し、主目盛６５１は副目盛６５２よりも幅寸法が大きく形成され、第２の表示体７は合成樹脂からなり、貫通部７１は主目盛６５１に対応する第１の貫通部７１１と副目盛６５２に対応する第２の貫通部７１２とを有し、少なくとも特定の第１の貫通部７１１は前面側が先細りとなる断面台形の空間部として形成され、少なくとも特定の第１の貫通部７１１に隣接する第２の貫通部７１２は背面側が先細りとなる断面逆台形の空間部として形成されることにより、特定の第１の貫通部７１１とこれに隣接する第２の貫通部７１２が互いに先細り方向の異なる台形空間部として形成されるため、各貫通部７１１，７１２間に挟まれた箇所Ｐの厚み寸法を確保した状態で各貫通部７１１，７１２どうしを近づけることができるため、第２の表示体７の貫通部７１を通して第１の表示体６の目盛部６５を視認させるにあたり、表示意匠の制約を軽減することができる。
【００３５】
なお本実施形態では、目盛部６５を印刷により形成したが、立体造形物として形成して、貫通部７１に挿入するようにしてもよい。
【符号の説明】
【００３６】
１  計器本体
２  回路基板
３  光源
４  ケース
５  指針
６  第１の表示体
７  第２の表示体
１１  指針軸
６１  基板
６２  表示層
６３  遮光層
６４  数字部
６５  目盛部
７１  貫通部
６５１  主目盛
６５２  副目盛
７１１  第１の貫通部
７１２  第２の貫通部
Ｄ１  上型
Ｄ２  下型
Ｅ１〜Ｅ４  端部
Ｈ  イジェクタピンホール
Ｊ  合成樹脂
【図１】
2010230609.tif 000003
【図２】
2010230609.tif 000004
【図３】
2010230609.tif 000005
【図４】
2010230609.tif 000006
【図５】
2010230609.tif 000007
【図６】
2010230609.tif 000008
【図７】
2010230609.tif 000009
【図８】
2010230609.tif 000010
【図９】
2010230609.tif 000011